(57)【要約】少なくも１個の入力源（２）、音場生成装置（４）、拡声器パネル（１０）を備え、少なくも１個の入力源（２）は音場生成装置（４）に接続され、そして音場生成装置（４）は拡声器パネル（１０）に接続され、少なくも１個の入力源（２）はオーディオ信号を作るように配置され、音場生成装置（４）がオーディオ信号について空間的に知覚し得る音場を作りかつ空間的に知覚し得る音場を拡声器パネル（１０）に出力するように配置されていて、拡声器パネル（１０）が、プレート（１２）、及びプレート（１２）における屈曲波の励振によりウエーブフィールド合成装置（６）から空間的に知覚し得る音場を再生するために大きいプレート（１２）上のアレイ（１４）内に配置された複数の変換器（１６）から構成されている音響再生システム（１）の配置。
2004515140.tif 000002
【特許請求の範囲】
【請求項１】
少なくも１個の入力源（２）、音場生成装置（４）、拡声器パネル（１０）を備え、前記少なくも１個の入力源（２）は前記音場生成装置（４）に接続され、そして前記音場生成装置（４）は前記拡声器パネル（１０）に接続され、前記少なくも１個の入力源（２）はオーディオ信号を作るように配置され、前記音場生成装置（４）が前記オーディオ信号について空間的に知覚し得る音場を作りかつ前記空間的に知覚し得る音場を前記拡声器パネル（１０）に出力するように配置されている音響再生システム（１）の配置であって、
前記拡声器パネル（１０）がプレート（１２）と複数の変換器（１６）とを備えた多励振分布モード型拡声器パネル（１０）であり、前記プレート（１２）において屈曲波を励振することにより前記ウエーブフィールド合成装置（６）から前記空間的に知覚し得る音場を再生するために、前記複数の変換器（１６）が前記プレート（１２）上のアレイ（１４）に配置されていることを特徴とする音響再生システム（１）の配置。
【請求項２】
前記音場生成装置（４）が、前記少なくも１個の入力源（２）と組み合わせられた多励振分布モード型拡声器パネル（１０）の変換器（１６）の組の周波数スペクトルの不規則性を補償するために、前記オーディオ信号に逆濾波処理を適用するように配置された入力濾波装置（５）を更に備えることを特徴とする請求項１による音響再生システム（１）の配置。
【請求項３】
前記ウエーブフィールド合成装置（６）により前記オーディオ信号のための前記空間的に知覚し得る音場を作るより前に、前記入力濾波装置（５）が前記逆濾波処理を実行することを特徴とする請求項２による音響再生システム（１）の配置。
【請求項４】
前記ウエーブフィールド合成装置（６）により前記オーディオ信号のための前記空間的に知覚し得る音場を作った後で、前記入力濾波装置（５）が前記逆濾波処理を実行することを特徴とする請求項２による音響再生システム（１）の配置。
【請求項５】
前記多励振分布モード型拡声器パネル（１０）が、前記空間的に知覚し得る音場における空間的知覚を作るために前記空間的に知覚し得る音場において第１の波動前線を作ることにより、及びアコースティックレベルを制御するために前記空間的に知覚し得る音場の拡散部分として第２の波動前線を作ることにより、或るアコースティックレベルで、前記オーディオ信号に対して前記空間的に知覚し得る音場を出力するために配置されることを特徴とする先行請求項のいずれかによる音響再生システム（１）の配置。
【請求項６】
前記アレイ（１４）が、少なくも１個の線状アレイであることを特徴とする先行請求項のいずれかによる音響再生システム（１）の配置。
【請求項７】
前記少なくも１個の線状アレイが、線形又は非線形の線状アレイであることを特徴とする請求項６による音響再生システム（１）の配置。
【請求項８】
前記少なくも１個の入力源（２）が、仮想入力源としてＭＰＥＧ−４に定められたような音響対象を備えることを特徴とする先行請求項のいずれかによる音響再生システム（１）の配置。
【請求項９】
前記配置が、
・劇場における直接スピーチ増強
・映画における音響再生
・オーディオのみ及びホーム劇場におけるビデオと組み合ったオーディオのサラウンド音響再生
・仮想現実劇場における音響再生
・シミュレーターにおける音響再生
・オーラリゼーションにおける音響再生
・テレビ会議における音響再生
の諸機能の少なくも一つを実行するように配置されることを特徴とする先行請求項のいずれかによる音響再生システム（１）の配置。
【請求項１０】
・オーディオ信号を作ること
・前記オーディオ信号について空間的に知覚し得る音場を作ること
の諸段階を含み、
・前記空間的に知覚し得る音場を、プレート（１２）と複数の変換器（１６）と
を備えた多励振分布モード型拡声器パネル（１０）に出力し、前記複数の変換器（１６）は前記プレート（１２）上のアレイ（１４）内に配置され、
・前記複数の変換器（１６）により前記プレート（１２）における屈曲波の励振により前記空間的に知覚し得る音場を作る
ことの諸段階を特徴とする請求項１による音響再生システムの配置による音響再生方法。
【請求項１１】
前記オーディオ信号と組み合わせられた多励振分布モード型拡声器パネル（１０）の変換器（１６）の組の周波数スペクトルの不規則性を補償するために、前記オーディオ信号に逆濾波処理を適用する段階を更に含むことを特徴とする請求項９による音響再生方法。
【請求項１２】
前記少なくも１個の線状アレイが、地表面に関して実質的に水平方向に向けられていることを特徴とする請求項６による音響再生システム（１）の配置の使用。
【請求項１３】
前記少なくも１個の線状アレイが、地表面に関して実質的に垂直方向に向けられていることを特徴とする請求項６による音響再生システム（１）の配置の使用。
【発明の詳細な説明】
【０００１】
［発明の分野］
本発明は、請求項１の前文に定められたような音響再生システムに関する。
【０００２】
【従来技術】
かかる音響再生システムはＥＰ　０　３３５　４６８　Ａ１号より知られ、これにおいては、音場の生成及び人間の知覚の物理的法則及び知覚法則を使用する音響再生システムが説明される。
【０００３】
音響生成方法の原理は、ウエーブフィールド合成（Ｗａｖｅ　Ｆｉｅｌｄ　Ｓｙｎｔｈｅｓｉｓ，ＷＦＳ）と呼ばれる。この方法は、Ａ．Ｊ．ＢｅｒｋｈｏｕｔによりＡ Ｈｏｌｏｇｒａｐｈｉｃ Ａｐｐｒａｏｃｈ ｔｏ Ａｃｏｕｓｔｉｃ Ｃｏｎｔｒｏｌ，Ｊ．Ａｕｄｉｏ Ｅｎｇ．Ｓｏｃ．３６，ｐｐ．９７７−９９５（１９８８）において報告された。この考えにおいては、波動理論が本質的な役割を果たし、個別の拡声器は、真の音源又は想像上の音源からの波動前線を作る拡声器アレイ（又は拡声器ストリップ）により置換される。波動前線による解法は、現存の全ての方法とは異なり、全聴取空間におけるオリジナルウエーブフィールドの（そして１個又は数個の聴取点においてではない）正確な再現を作るいわゆるボリウム解法（ｖａｌｕｍｅ ｓｏｌｕｔｉｏｎ）である。理想的な状況では、聴取区域は、拡声器が対応した位置におけるオリジナル音場の粒子速度の直角方向成分に比例した音量のフラックスを作るように、信号を送られる拡声器の面で囲まれる。実際的な目的のために、この方法は、拡声器の面ではなくて、聴取区域を囲んでいる線形拡声器アレイを使うように適合させられる。
【０００４】
そこで、この方法は、拡声器のアレイに前処理されたオーディオ信号を送ることに関連する。今日まで、この技術の応用は、電磁式変換器及びコーンよりなる通常の拡声器ドライバーの使用により実現されている。変換器は、拡声器箱の中に取り付けられ、そして希望の拡声器アレイを得るために一列に組み合わせられる。
【０００５】
適切なウエーブフィールド合成には多数の拡声器が必要であるため、及びこれら拡声器を聴取区域の周りに位置決めしなければならないことのため、通常のダイナミック式拡声器の使用は重大な欠点を持つ。通常のダイナミック式拡声器ドライバーの一つの欠点は、背景音量の付加的な固さを避けるために、比較的大容量を有するハウジングを必要とすることである。別の欠点は、これら拡声器の価格である。
【０００６】
拡声器における新しい開発は、いわゆる分布モード拡声器（Ｄｉｓｔｒｉｂｕｔｅｄ−Ｍｏｄｅ　Ｌｏｕｄｓｐｅａｋｅｒ，ＤＭＬ）である。かかる拡声器は、希望のオーディオ信号が供給される電磁式励振装置により屈曲波が励振される軽くてかつ剛い材料製のプレートより構成される。分布モード拡声器の配置及び方法が、Ｎ．Ｈａｒｒｉｓ及びＭ．Ｏ．Ｈａｗｋｓｆｏｒｄにより、Ｔｈｅ ｄｉｓｔｒｉｂｕｔｅｄ−ｍｏｄｅ ｌｏｕｄｓｐｅａｋｅｒ（ＤＭＬ） ａｓ ａ ｂｒｏａｄｂａｎｄ ａｃｏｕｓｔｉｃ ｒａｄｉａｔｏｒ，ｐｒｅｐｒｉｎｔ４５２６，１０３ｒｄｃｏｎｖｅｎｔｉｏｎ ｏｆ ｔｈｅ ＡＥＳ，ＮｅｗＹｏｒｋ，１９７７において説明される。
【０００７】
しかし、分布モード特性は、放射特性への時間的及び空間的な感覚における影響を持つ。そこで、２次音源（拡声器）間の位相の関係が重要であるＷＦＳに対するこれらパネルの適用可能性は、初めから明白でない。Ｍ．Ｍ．Ｂｏｏｎｅ及びＷ．Ｐ．Ｊ．ｄｅ Ｂｒｕｉｊｎは、内部で音響が作られるＷＦＳ用の出力装置として分布モード拡声器の応用について報告する。Ｍ．Ｍ．Ｂｏｏｎｅ及びＷ．Ｐ．Ｊ．ｄｅ Ｂｒｕｉｊｎ，ｏｎ ｔｈｅ ａｐｐｌｉｃａｂｉｌｉｔｙ ｏｆ ｄｉｓｔｒｉｂｕｔｅｄ ｍｏｄｅ ｌｏｕｄｓｐｅａｋｅｒ ｐａｎｅｌｓ ｆｏｒ ｗａｖｅ ｆｉｅｌｄ ｓｙｎｔｈｅｓｉｓ ｂａｓｅｄ ｓｏｕｎｄ ｒｅｐｒｏｄｕｃｔｉｏｎ，ｐｒｅｐｒｉｎｔ ５１６５，１０８ｒｄＣｏｎｖｅｎｔｉｏｎ ｏｆ ｔｈｅ ＡＥＳ，Ｐａｒｉｓ，２０００．
更に、ＤＭＬ技術の欠点は、屈曲波の放射が伝達関数（インパルス応答のフーリエ変換）の周波数スペクトルにおける望ましくない不規則性を導くことである。
【０００８】
更に、通常の電磁式拡声器について説明されたように、適正な音響再生のためには、分離された多数のＤＭＬ拡声器よりなるアレイが必要である。これら拡声器の各は、追加の（複雑な）配線及び追加の組立時間と費用とを必要とする大きいＷＦＳアレイ内に置かねばならない。
【０００９】
［発明の概要］
Ｂｏｏｎｅ及びＢｒｕｉｊｎの配置に関連した欠点を持たない分布モード拡声器パネルを使用したウエーブフィールド合成システムを提供することが本発明の音響再生システムの配置及び方法の目的である。
【００１０】
そこで、本発明は、少なくも１個の入力源、音場生成装置、拡声器パネルを備え、前記少なくも１個の入力源は前記音場生成装置に接続され、そして前記音場生成装置は前記拡声器パネルに接続され、前記少なくも１個の入力源はオーディオ信号を作るように配置され、前記音場生成装置が前記オーディオ信号について空間的に知覚し得る音場を作りかつ前記空間的に知覚し得る音場を前記拡声器パネルに出力するように配置されている音響再生システムの配置であって、前記拡声器パネルがプレートと複数の変換器とを備えた多励振分布モード型拡声器パネルであり、前記プレートにおいて屈曲波を励振することにより前記ウエーブフィールド合成装置から前記空間的に知覚し得る音場を再生するために、前記複数の変換器が前記プレート上のアレイ内に配置されていることを特徴とする音響再生システムの配置に関連する。
【００１１】
また、本発明は、前記音場生成装置が、前記少なくも１個の入力源と組み合わせられた多励振分布モード型拡声器パネルの変換器の組の周波数スペクトルの不規則性を補償するために、前記オーディオ信号に逆濾波処理を適用するように配置された入力濾波装置を更に備えることを特徴とする上述のような音響再生システムの配置にも関連する。
【００１２】
更に、本発明は、前記ウエーブフィールド合成装置により前記オーディオ信号のための前記空間的に知覚し得る音場を作るより前に、前記入力濾波装置が、前記逆濾波処理を実行することを特徴とする上述のような音響再生システムの配置に関連する。
【００１３】
更に、本発明は、前記ウエーブフィールド合成装置により前記オーディオ信号のための前記空間的に知覚し得る音場を作た後で、前記入力濾波装置が前記逆濾波処理を実行することを特徴とする上述のような音響再生システムの配置に関連する。
【００１４】
更に、本発明は、前記多励振分布モード型拡声器パネルが、前記空間的に知覚し得る音場における空間的知覚を作るために前記空間的に知覚し得る音場において第１の波動前線を作ることにより、及びアコースティックレベルを制御するために前記空間的に知覚し得る音場の拡散部分として第２の波動前線を作ることにより、前記オーディオ信号に対して、或るアコースティックレベルで、前記空間的に知覚し得る音場を出力するために配置されることを特徴とする上述のような音響再生システムの配置に関連する。
【００１５】
更に、本発明は、前記アレイが、少なくも１個の線状アレイであることを特徴とする上述のよな音響再生システムの配置に関連する。
【００１６】
また、本発明は、前記少なくも１個の線状アレイが、線形又は非線形の線状アレイであることを特徴とする上述のような音響再生システムの配置に関連する。
【００１７】
更に、本発明は、前記少なくも１個の入力源が、仮想入力源としてＭＰＥＧ−４に定められたような音響対象を備えることを特徴とする上述のような音響再生システムの配置に関連する。
【００１８】
本発明は、前記配置が、
・劇場における直接スピーチ増強
・映画における音響再生
・オーディオのみ及びホーム劇場におけるビデオと組み合ったオーディオのサラウンド音響再生
・仮想現実劇場における音響再生
・シミュレーターにおける音響再生
・オーラリゼーションにおける音響再生
・テレビ会議における音響再生
の諸機能の少なくも一つを実行するように配置されることを特徴とする上述のような音響再生システムの配置に関連する。
【００１９】
更に、本発明は、
・オーディオ信号を作ること
・前記オーディオ信号について空間的に知覚し得る音場を作ること
の諸段階を含み、
・前記空間的に知覚し得る音場を、プレートと複数の変換器とを備えた多励振装置分布モード拡声器パネルに出力し、前記複数の変換器は前記プレート上のアレイ内に配置され、
・前記複数の変換器により前記プレートにおける屈曲波の励振により前記空間的に知覚し得る音場を作る
諸段階を特徴とする上述のような音響再生システムの配置による音響再生方法に関連する。
【００２０】
また、本発明は、前記オーディオ信号と組み合わせられた多励振分布モード型拡声器パネルの変換器の組の周波数スペクトルの不規則性を補償するために、前記オーディオ信号に逆濾波処理を適用する段階を更に含むことを特徴とする上述のような音響再生方法に関連する。
【００２１】
本発明においては、拡声器パネルは、軽くてかつ剛い材料の１個の大きいプレートよるなる多励振分布モード型拡声器パネルであり、屈曲波は変換器のアレイにより励振される。これら変換器には、ＷＦＳ音場を得るために必要なステアリング信号が供給される。この方法の機能は、短いパルスよりなるＤＭＬのインパルス応答が励振装置の位置におけるプレートの直接放射により生ずること、及び不規則パターンがパネルにおいて続いて励振された拡散屈曲波パターンの放射により生ずることに基づく。プレートの全ての変換器のインパルス応答の第１の部分は、相互間の良好な位相関係を有し、従ってＷＦＳに要する高品質の音場を合成することができる。インパルス応答の後の部分は多少なりとも不規則であり、これらは屈曲波プレートの十分に大きい出力を得るために応答することができる。
【００２２】
適正に作動するために、初期音場に作られた位相のと後期、音場に作られた拡散との間の関係は、第１の波動前線が音響の希望の空間的な知覚に導き、一方、応答の後の部分が空間の知覚に悪影響を与えることなしに十分な出力を与えるような関係でなければならない。これは、使用される屈曲波プレートに軽い材料を選ぶことにより最適にすることができる。多励振分布モード型拡声器パネルの寸法は、１００から２０、０００Ｈｚの広い周波数範囲にわたり放射するように最適化される。
【００２３】
多励振分布モード型拡声器パネルは、軽くて剛い材料の使用により、（従来技術の電磁式拡声器アレイと比較して）比較的大きい面積と組み合わせた小さい体積を持つことができる。
【００２４】
更に、多励振分布モード型拡声器パネルの配線はパネル内に一体化することができ、これはかかるパネルの設置を単純化し、追加の配線及び組立時間と費用を減らす。
【００２５】
更に、本発明においては、多励振分布モード型拡声器パネルにおける変換器の変換機能の周波数スペクトルにおける不規則性を修正するために、逆濾波器の入力濾波の手順を適用する。
【００２６】
［好ましい実施例の説明］
図１は、本発明による音響再生システム１の一般的な全体像を示す。この好ましい実施例においては、入力源２が音場生成装置４に接続される。音場生成装置４は、入力濾波装置５及びウエーブフィールド合成装置６を備え、後者は多励振分布モード型拡声器パネル１０への出力接続８も持つ。
【００２７】
図２は、本発明による拡声器パネル１０の図式的な平面図を示す。多励振分布モード型拡声器パネル１０は、複数の変換器１６が配置された軽くてかつ剛い材料の大きいプレート１２よりなる。好ましくは、変換器１６は、水平方向の線状アレイ内に整列される。水平方向は、ここでは、地表面に関して定義される。多励振分布モード型拡声器パネル１０の大きいパネル１２内において、変換器１６が、使用時に、音響再生のための屈曲波を作る。この実施例においては、多励振分布モード型拡声器パネル１０は、１個の線状アレイ１４を備えているが、パネル１０は、垂直方向で間隔を空けて平行に位置決めされた多数の線状アレイ１４を備えることもできる。
【００２８】
更に、この好ましい実施例においては、線状アレイ１４内の変換器１６は、変換器１６間の一定間隔を使って位置決めされ、これにより線形の線状アレイを形成している。或いは、線状アレイ１４の変換器１６は、変換器１６間の一定でない間隔を使って位置決めすることができる。この場合は、非線形の線状アレイ１４を形成することができる。
【００２９】
図３は、本発明による拡声器パネル１０の図式的な断面図を示す。
【００３０】
入力源２は、音場生成装置４にオーディオ信号を送ることができる。オーディオ信号は、リアルタイムのオーディオ源、又は記録されたオーディオ源を備えることができる。音響再生システム１において、１個以上の入力源２を利用することができる。例えば、音響登録は、オーケストラ内の個別の楽器のような、大きい音源内の特定の個別入力源を登録することができる。
【００３１】
図１において、入力源２からのオーディオ信号は、ウエーブフィールド合成装置６に入るより前に入力濾波装置５により濾波される。ＤＭＬ技術においては、屈曲波の生成が、伝達関数（前述のインパルス応答のフーリエ変換）の周波数スペクトルにおける望ましくない不規則性を導くため、入力濾波装置５における本技術で公知の逆濾波手順が、この不規則性の一般的形状をうまく補償するであろう。（通常、１個以上のデジタル信号プロセッサーの使用による）デジタル信号処理が、既に実行されたＷＦＳ技術の使用との組合せにおいて、かかる補正を容易に実行することができる。
【００３２】
次いで、濾波されたオーディオ信号は、ウエーブフィールド合成装置６に送られる。ウエーブフィールド合成装置６は、濾波されたオーディオ信号から、変換器用の出力信号を作る。変換器用のこれら出力信号は、多励振分布モード型拡声器パネル１０に送られる。（登録中の）入力源２の（オリジナルの）位置を模擬するウエーブフィールド合成装置の特性のため、変換器用の出力信号は、入力源２の模擬された（オリジナル）位置における音響の再生のために実際に必要とされる変換器１６にのみ供給される。
【００３３】
ウエーブフィールド合成装置において、再生される各分離音源について、分離入力源２が必要である。従って、各入力源２は、変換器１６の別のグループ（組合せ）への（変換器用の出力信号の）出力に対応する。各入力源２について、変換器の一部分に信号が送られる。作動される変換器の数は、模擬される入力源２に依存する。典型的に、本発明の音響再生システム１は、例えば８個の入力源２及び１２８個の変換器１６を備える。かかる場合は、１個の入力源２が、例えば３２個の変換器を作動させることができる。
【００３４】
多励振分布モード型拡声器パネル１０のプレート１２に、変換器１６に至るウエーブフィールド合成装置６の出力の接続が単純化されるような方法で、変換器１６の配線が組み込まれ適合させられる。更に、変換器１６の駆動に要する電子式ドライバーもパネル１０内に組み込み得ることが注意される。また、ウエーブフィールド合成装置６をパネル１０内に一体化することが考えられる。
【００３５】
上述の実施例においては、入力源２のオーディオ信号がウエーブフィールド合成装置６に入るよりも前に、入力濾波器５において逆濾波手順がなされることが注意される。しかし、逆濾波手順は、ウエーブフィールド合成装置６における音場の合成の後でかつ出力信号が出力接続８を経て多励振分布モード型拡声器パネル１０の変換器に送られるより前に行うことも考えられる。恐らくは費用が更にかかるであろうが、濾波を、特定の入力源２に関連した変換器のグループに対して、或いは個別の変換器に対して行うことができる。また、逆濾波装置５をウエーブフィールド合成装置６内に一体化することも考えられる。
【００３６】
アコースティック信号処理は、（オーケストラの１個の楽器のような）各音響対象を分離した仮想音源として処理し得る（即ち、分離した入力源２により入力される）ようなＭＰＥＧ−４技術に基づくことができる。更に、ステアリングパラメーター（ｓｔｅｅｒｉｎｇ　ｐａｒａｍｅｔｅｒ）が、ＷＦＳ原理に従って反響及び残響の発生を制御することができる。本方法は、２チャンネルステレオのような標準オーディオ材料の両立した再生、及び例えば５．１フォーマットによるサラウンド音響の分離にもよく適している。
【００３７】
本発明の配置の応用は、高音質のサラウンド音響再生が要求される全ての場合に見いだすことができる。かかる応用は次の通りである。
・劇場における直接スピーチ増強
・映画
・オーディオのみ及びホーム劇場用のビデオと組み合ったオーディオのサラウンド音響再生
・仮想現実劇場
・シミュレーター
・オーラリゼーション
・テレビ会議
全ての応用は、大きい聴取区域にわたる高音質の空間的音響再生を達成できる共通点を持つ。この高音質は通常の拡声器と組み合わせたＷＦＳにより同様に得ることができるが、多励振分布モード型拡声器パネル１０の応用は、変換器アレイを見えないような方法で壁に取り付けることができるので、重要な長所を持つ。述べられた応用の或るものについては、パネル面をビデオ又はフィルムの投影のために使用できることが便利である。別の用途においては、表面は、会場の内部と調和するように塗装又はその他の手段により処理することができる。
【００３８】
多励振分布モード型拡声器パネル１０の変換器１６は、軽量でかつ剛いパネル内に埋設され、その寸法は、典型的に、従来技術において使用されたような通常の拡声器アレイグループの周囲に相当する。一例として、図２及び３に示された拡声器パネル１０は２ｍの長さを持つ。パネル１０の高さは、獲得すべき周波数特性及びプレート材料の機械的特性に依存するプレート内の屈曲波の生成能力に関係する。典型的に、拡声器パネル１０の最小高さは約４０ｃｍであろう。かかるパネルは、聴取室の壁（の一つ）に容易に取り付けることができる。大面積の拡声器１０が必要な場合は、一つの大きい合成パネルを形成するように、追加パネルを互いに続けて設置することができる。
【００３９】
更に、多励振分布モード型拡声器パネル１０は、大きい寸法のパネルの設置を容易にするために軽量でなければならないことが注意される。また、多励振分布モード型拡声器パネル１０の適切な音響特性のために、パネル１０の材料は、比較的高い剛性のような適切な機械的特性を持たねばならない。所与の要求を満たし得る材料は、熱硬化性プラスチック、例えばレクサン、及び剛性の積層材を含む。
【００４０】
更に、図２及び３に示されたパネル１０は、変換器の線状アレイ１４が地面の水平方向と平行に向けられた状態で使用されることが普通である。しかし、線状アレイ１４を地表面に関して垂直方向に平行な方向に向けて所与の位置に設置することが考えられる。この場合は、本発明による拡声器パネルは、ビーム形成技術のような音場生成技術のために使うことができ、この場合、聴取者のグループに向けられた方向性の音響が要求される。この応用に対しては、変換器線状アレイ１４の非線形の間隔を使用し得ることが好ましい。
【図面の簡単な説明】
【図１】
本発明による音響再生システムの配置の図式的なブロック図を示す。
【図２】
本発明による拡声器パネルの図式的な平面図を示す。
【図３】
本発明による拡声器パネルの図式的な断面図を示す。
【図１】
2004515140.tif 000003
【図２】
2004515140.tif 000004
【図３】
2004515140.tif 000005
【国際公開パンフレット】
2004515140.tif 000006
2004515140.tif 000007
2004515140.tif 000008
2004515140.tif 000009
2004515140.tif 000010
2004515140.tif 000011
2004515140.tif 000012
2004515140.tif 000013
2004515140.tif 000014
2004515140.tif 000015
2004515140.tif 000016
2004515140.tif 000017
2004515140.tif 000018
2004515140.tif 000019
2004515140.tif 000020
【国際公開パンフレット（コレクトバージョン）】
2004515140.tif 000021
2004515140.tif 000022
【国際公開パンフレット（コレクトバージョン）】
2004515140.tif 000023
2004515140.tif 000024
【国際調査報告】
2004515140.tif 000025
2004515140.tif 000026